(57)【要約】【目的】利用者が事業者との所定の契約に基づいて、その利用代金をクレジットカードで定期的に事業者に支払うため、事業者に対して支払用のクレジットカード情報を登録するシステムおよび方法を提供し、利用者が容易な方法でその登録をなし、かつ誤記や登録ミスによるトラブルを解消する。【解決手段】利用料金の支払をクレジットカードによって支払うことを事業者に登録する方法であって、端末装置から入力された事業者特定情報、契約特定情報、クレジットカード情報、クレジットカードの暗証番号を支払い用クレジットカード情報登録システムが受信し、事業者の契約管理システムに契約特定番号と該クレジットカード情報を送信し、事業者の契約管理システムにおいて該契約特定情報と該クレジットカード情報を登録する方法。【選択図】　図１
2004086580.tif 000002
【特許請求の範囲】
【請求項１】
利用料金の支払をクレジットカードによって支払うことを事業者に登録する方法であって、端末装置から入力された事業者特定情報、契約特定情報、クレジットカード情報、クレジットカードの暗証番号を支払い用クレジットカード情報登録システムが受信し、該登録システムがクレジットカード管理システムに対しクレジットカードの有効性及び本人確認をなし、該確認結果にもとづき、該事業者の契約管理システムに契約特定番号と該クレジットカード情報を送信し、事業者の契約管理システムにおいて該契約特定情報と関係づけて該クレジットカード情報を登録し、登録後の利用料金を該クレジットカードによって支払い可能とする支払用クレジットカード情報を事業者に登録する方法。
【請求項２】
顧客が契約している事業者に利用料金等の支払をクレジットカードで支払うためのクレジットカード情報を登録する方法であって、登録先の事業者特定情報、契約特定情報、支払用のクレジットカード情報および暗証番号を支払用クレジットカード情報登録システムに入力し、前記情報の入力を受付けた支払用クレジットカード情報登録システムは登録手続単位に前記入力された情報を記憶手段に記憶し、前記入力された支払用クレジットカード情報および暗証番号に基づいてクレジットカード会社のシステムに該クレジットカードが有効かどうかを問い合わせ、クレジットカード会社のシステムから該クレジットカードが有効であるとの結果を受信した場合に、登録先事業者のシステムに対して契約特定情報および支払用クレジットカード情報を送り、契約特定情報と関係づけて前記受信した支払用クレジットカード情報を事業者のシステムに登録することを特徴とする支払用クレジットカード情報登録方法。
【請求項３】
端末番号が記憶された端末番号記憶手段と、端末番号記憶手段から端末番号を読取る手段と、クレジットカードの記録情報を読取る手段またはクレジットカード情報を受信する手段と、クレジットカードの暗証番号を入力する手段と、事業者を指定する手段または入力する手段と、契約特定情報を入力する手段または契約特定情報をカードから読取る手段または契約特定情報を短距離通信によって他の装置から受信する手段と、当該登録処理の処理通番を決定する手段と、処理日付を管理する処理日付管理手段と、処理時刻を管理する時刻管理手段と、クレジットカードの記録情報および暗証番号および事業者および契約特定情報および処理通番および処理日および処理時刻から支払用クレジットカード登録データを作成する手段と、前記作成した支払用クレジットカード登録データを中央処理システムへ送信する手段と、中央処理システムから登録結果データを受信する手段と、前記受信した登録結果データをもとに登録結果を画面に表示する手段と、当該処理結果を記録した書面を印字出力する手段を有することを特徴とする支払用クレジットカード情報登録処理システム。
【請求項４】
複数の端末装置と通信可能な態様で接続されクレジットカード会社のシステムおよび事業者のシステムと通信手段を介して支払用クレジットカード情報の登録処理を行なう情報処理システムであって、端末装置から支払用クレジットカード番号およびクレジットカードの暗証番号を含む支払用クレジットカード登録データを受信する手段と、クレジットカード会社のシステムに対して前記受信した支払用クレジットカード登録データからクレジットカードの有効性および本人確認に必要な情報を送信してクレジットカードの有効性および本人確認を問い合わせる手段と、クレジットカード会社のシステムから確認結果を受信する手段と、前記受信した確認結果が正当であった場合に事業者のシステムに支払用クレジットカード登録データを送信する手段と、事業者のシステムから前記データにもとづき支払用のクレジットカード情報の登録の完了通知を受信する手段と、前記完了通知の受信にもとづいて該端末装置に処理の完了を通知する手段とを有することを特徴とする支払用クレジットカード情報の登録処理を行なう情報処理システム。
【請求項５】
支払用クレジットカード情報の登録処理を行なう情報処理システムと連携して機能するクレジットカード会社のシステムであって、支払用クレジットカード情報の登録処理を行なう情報処理システムからクレジットカードの有効性および本人確認のために必要な情報を受信する手段と、前記受信した情報にもとづいて該クレジットカードが有効であることおよび前記受信した該クレジットカードの暗証番号の一致を確認する手段と、前記確認の結果が正当であった場合にその旨を支払用クレジットカード情報の登録処理を行なう情報処理システムに対して通知する手段を有することを特徴とするクレジットカード会社のシステム。
【請求項６】
クレジットカードが有効でありかつ暗証番号が一致した場合に該クレジットカード所有者の氏名および／または住所を支払用クレジットカード情報の登録処理を行なう情報処理システムへ送信する手段を有することを特徴とする請求項５に記載のクレジットカード会社のシステム。
【請求項７】
クレジットカード情報を受付ける手段と、登録先事業者の情報を受付ける手段と、契約特定情報を受付ける手段と、本人確認情報を受付ける手段と、クレジットカードの有効性を確認する手段と、本人を確認する手段と、クレジットカードの有効性を確認する手段および本人を確認する手段がいずれも正当と判断した場合にクレジットカード情報を契約特定情報と関係付けて登録する手段とを有することを特徴とする支払用クレジットカード情報登録システム。
【発明の詳細な説明】
【　０００１　】
【　発明の属する技術分野　】
本発明は、電気、ガス、水道、電話、携帯電話、新聞、雑誌講読、保険料、ケーブルテレビ、スポーツクラブ、学習塾、英会話、などの継続してサービスを利用する場合の料金を、クレジットカードで支払うため契約している事業者へクレジットカード情報を登録するシステムの技術に関する。
【０００２】
【　従来の技術　】
たとえば、携帯電話の基本契約料や通話料金などの利用料金の支払方法には、加入者の銀行口座から毎月自動振替する方法や、銀行やコンビニエンスストア（以下、「コンビニ」と言う）から振り込み支払する方法の他に、クレジットカードによる支払方法も取り扱うことが出来る。
【０００３】
銀行やコンビニから振り込み支払いする方法では、事前に特別の手続をする必要は無いが、実際の支払においては、加入者が毎月振込支払明細書と現金を持って銀行やコンビニへ直接出向いて支払う必要があり利便性に欠けることにより、加入者の都合によっては期日までに支払が間に合わないなどの問題もあった。
【０００４】
また、加入者の銀行口座から自動振替する方法においては、加入契約時又は契約後、支払用の銀行口座を携帯電話会社に登録するとともに、指定した銀行に対して口座登録印を捺印した口座振替依頼書を送付して、登録印の照合および口座の確認等を依頼しなければならず、自動振替の手続が終了するまでに数ケ月かかることもあり、迅速性に欠けるという問題がある。
【０００５】
携帯電話の利用料金をクレジットカードで支払うための手続としては、携帯電話会社と加入契約をする際に、加入契約書に支払用のクレジットカード番号を記入するか、既に加入済みであれば携帯電話会社のショップに行って所定の用紙にクレジットカード番号を記入して手続するか、携帯電話会社のサービスセンターから所定の用紙を送ってもらい、クレジットカード番号を記入して郵送して手続する方法がある。
【０００６】
いずれの場合においても、クレジットカード番号が記入された加入契約書又は所定の用紙を受け取った携帯電話会社では、クレジットカード会社に対してクレジットカードの利用が可能かどうか問い合わせ、クレジットカードに問題がないことを確認したのち、自社の加入契約を管理するシステムにクレジットカード番号を登録する。
【０００７】
クレジットカード会社への問い合せ及び、自社のシステムへの入力は人為的作業によって実行されるためクレジットカード番号の入力ミスや、当該クレジットカードの本人確認が十分でないことによるトラブルなどが起こるという問題があった。
【０００８】
なお、これらの問題は、携帯電話の場合の他、スポーツクラブの会費などの支払、電気料金の支払、ガス料金の支払、新聞料金の支払、雑誌等の購読料金の支払、ケーブルテレビ受信料金の支払、保険料の支払、学習塾・カルチャーセンター等の授業料の支払、学校給食代の支払、国民健康保険の支払、国民年金保険料の支払等々、所定の契約に基づいてその利用料金を定期的に支払う全ての場合を含む。
【０００９】
【　発明が解決しようとする課題　】
利用者が事業者との所定の契約に基づいて、その利用代金をクレジットカードで定期的に事業者に支払うため、事業者に対して支払用のクレジットカード情報を登録するシステムおよび方法を提供し、利用者が容易な方法でその登録をなし、かつ誤記や登録ミスによるトラブルを解消することを課題とする。
【００１０】
【　課題を解決するための手段　】
前記課題を解決するための手段は、利用料金の支払をクレジットカードによって支払うことを事業者に登録する方法であって、端末装置から入力された事業者特定情報、契約特定情報、クレジットカード情報、クレジットカードの暗証番号を支払い用クレジットカード情報登録システムが受信し、該登録システムがクレジットカード管理システムに対しクレジットカードの有効性及び本人確認をなし、該確認結果にもとづき、該事業者の契約管理システムに契約特定番号と該クレジットカード情報を送信し、事業者の契約管理システムにおいて該契約特定情報と関係づけて該クレジットカード情報を登録し、登録後の利用料金を該クレジットカードによって支払い可能とする支払用クレジットカード情報を事業者に登録する方法、及び　顧客が契約している事業者に利用料金等の支払をクレジットカードで支払うためのクレジットカード情報を登録する方法であって、登録先の事業者特定情報、契約特定情報、支払用のクレジットカード情報および暗証番号を支払用クレジットカード情報登録システムに入力し、前記情報の入力を受付けた支払用クレジットカード情報登録システムは登録手続単位に前記入力された情報を記憶手段に記憶し、前記入力された支払用クレジットカード情報および暗証番号に基づいてクレジットカード会社のシステムに該クレジットカードが有効かどうかを問い合わせ、クレジットカード会社のシステムから該クレジットカードが有効であるとの結果を受信した場合に、登録先事業者のシステムに対して契約特定情報および支払用クレジットカード情報を送り、契約特定情報と関係づけて前記受信した支払用クレジットカード情報を事業者のシステムに登録することを特徴とする支払用クレジットカード情報登録方法、及び端末番号が記憶された端末番号記憶手段と、端末番号記憶手段から端末番号を読取る手段と、クレジットカードの記録情報を読取る手段またはクレジットカード情報を受信する手段と、クレジットカードの暗証番号を入力する手段と、事業者を指定する手段または入力する手段と、契約特定情報を入力する手段または契約特定情報をカードから読取る手段または契約特定情報を短距離通信によって他の装置から受信する手段と、当該登録処理の処理通番を決定する手段と、処理日付を管理する処理日付管理手段と、処理時刻を管理する時刻管理手段と、クレジットカードの記録情報および暗証番号および事業者および契約特定情報および処理通番および処理日および処理時刻から支払用クレジットカード登録データを作成する手段と、前記作成した支払用クレジットカード登録データを中央処理システムへ送信する手段と、中央処理システムから登録結果データを受信する手段と、前記受信した登録結果データをもとに登録結果を画面に表示する手段と、当該処理結果を記録した書面を印字出力する手段を有することを特徴とする支払用クレジットカード情報登録処理システム、複数の端末装置と通信可能な態様で接続されクレジットカード会社のシステムおよび事業者のシステムと通信手段を介して支払用クレジットカード情報の登録処理を行なう情報処理システムであって、端末装置から支払用クレジットカード番号およびクレジットカードの暗証番号を含む支払用クレジットカード登録データを受信する手段と、クレジットカード会社のシステムに対して前記受信した支払用クレジットカード登録データからクレジットカードの有効性および本人確認に必要な情報を送信してクレジットカードの有効性および本人確認を問い合わせる手段と、クレジットカード会社のシステムから確認結果を受信する手段と、前記受信した確認結果が正当であった場合に事業者のシステムに支払用クレジットカード登録データを送信する手段と、事業者のシステムから前記データにもとづき支払用のクレジットカード情報の登録の完了通知を受信する手段と、前記完了通知の受信にもとづいて該端末装置に処理の完了を通知する手段とを有することを特徴とする支払用クレジットカード情報の登録処理を行なう情報処理システム、支払用クレジットカード情報の登録処理を行なう情報処理システムと連携して機能するクレジットカード会社のシステムであって、支払用クレジットカード情報の登録処理を行なう情報処理システムからクレジットカードの有効性および本人確認のために必要な情報を受信する手段と、前記受信した情報にもとづいて該クレジットカードが有効であることおよび前記受信した該クレジットカードの暗証番号の一致を確認する手段と、前記確認の結果が正当であった場合にその旨を支払用クレジットカード情報の登録処理を行なう情報処理システムに対して通知する手段を有することを特徴とするクレジットカード会社のシステム、クレジットカードが有効でありかつ暗証番号が一致した場合に該クレジットカード所有者の氏名および／または住所を支払用クレジットカード情報の登録処理を行なう情報処理システムへ送信する手段を有するクレジットカード会社のシステム、クレジットカード情報を受付ける手段と、登録先事業者の情報を受付ける手段と、契約特定情報を受付ける手段と、本人確認情報を受付ける手段と、クレジットカードの有効性を確認する手段と、本人を確認する手段と、クレジットカードの有効性を確認する手段および本人を確認する手段がいずれも正当と判断した場合にクレジットカード情報を契約特定情報と関係付けて登録する手段とを有することを特徴とする支払用クレジットカード情報登録システム、などを含む。
【００１１】
【　発明の実施の形態　】
本発明を説明するための実施の形態は、事業者が携帯電話会社であって、その加入者が携帯電話会社に対して携帯電話料金をクレジットカードで支払うための登録方法および登録処理システムを例とする。
【００１２】
図１は本発明のシステムの全体図で、０１．はクレジットカード、０２．はクレジットカード情報が記憶された短距離通信が可能な装置、１０．は処理端末装置で、１１．はカード読取手段、１２．は通信手段、１３．はカード情報受信手段、１４．は入力手段、１５．は登録用データ作成手段、１６．は情報記憶手段で、１６ａ．は登録用データ記憶部、１６ｂ．は日付・時刻記憶部、１６ｃ．は端末番号記憶部、１７．は出力手段で、１８．印字装置、２０．は通信ネットワークで、３０．は複数の処理端末装置を管理し他の事業者とのデータ通信を処理するホストシステムで、３１．は通信手段、３２．は端末確認手段、３３．はカード会社確認手段、３４．はカード有効性問合せ手段、３５．は事業者確認手段、３６．は登録データ送信手段、３７．記憶手段を示すもので、３７ａ．は端末管理ファイル、３７ｂ．はカード会社ファイル、３７ｃ．は事業者ファイルで、４０．はクレジットカード会社のシステムで、４１．は通信手段、４２．はカード有効性確認手段、４３．は記憶手段を示すもので、４３ａ．はクレジットカードファイル、４３ｂ．は暗証番号ファイル、５０．は携帯電話会社のシステムで、５１．は登録データ受信手段、５２．は加入者情報確認手段、５３．はクレジットカード情報登録手段、５４．記憶手段を示すもので、５４ａ．は加入者ファイル、５４ｂ．は支払管理ファイルである。
【００１３】
図２は本発明のシステムに用いる各システムのデータファイルを示す図で、１００．は登録用データファイル、１０１．は端末番号記載欄、１０２．は処理日記載欄、１０３．は時刻記載欄、１０４．は処理を識別するための区分記載欄、１０５．は処理通番記載欄、１０６．は契約番号記載欄、１０７．はクレジットカード番号記載欄、１０８．は暗証番号記載欄で、１１０．は日付・時刻情報ファイルで、１１１．は日付欄、１１２．は時刻欄、１２０．は端末番号ファイルで、１２１．は端末番号記載欄、１２２．メーカー記載欄、１２３．は型式記載欄、１２４．製造番号記載欄、２００．は端末管理ファイルで、２０１．は端末番号記載欄、２０２．は設置場所記載欄、２０３はメーカー記載欄、２０４．は型式記載欄、２０５．は製造番号記載欄、２１０．はカード会社ファイルで、２１１．は会社コード記載欄、２１２．はクレジットカード会社名記載欄、２１３．は通信方式記載欄、２２０．は事業者ファイルで、２２１．は事業者コード記載欄、２２２．は携帯電話会社名記載欄、２２３．通信方式記載欄、３００．はクレジットカードファイルで、３０１．はクレジットカード番号記載欄、３０２．は氏名記載欄、３０３．は生年月日記載欄、３０４．は住所記載欄、３０５．は事故情報記載欄、３０６．は有効期限記載欄、３１０．は暗証番号ファイルで３１１．はクレジットカード番号記載欄、３１２．は暗証番号記載欄、４００．は加入者ファイルで、４０１．は携帯電話番号記載欄、４０２．は加入者名記載欄、４０３．生年月日記載欄、４０４．は住所記載欄、４１０．は支払管理ファイルで、４１１．は携帯電話番号記載欄、４１２．は支払区分記載欄、４１３．はクレジットカード番号記載欄である。
図３は本システムを実行するための処理のフローチャートである。
【００１４】
携帯電話の加入者は、処理端末装置１０．の入力手段１４．から携帯電話会社情報と携帯電話番号を入力し、カード読取手段１１．からクレジットカード０１．の記録情報を読取らせ、クレジットカード０１．に対応する暗証番号を入力して、クレジットカード登録を行う。また短距離通信によって装置０２．からクレジットカードの記録情報と、暗証番号を入力させることもできる。この場合、携帯電話会社情報は、処理端末装置の画面から利用者が選択することによって特定され、携帯電話番号は、電話会社との契約特定情報として利用される。
【００１５】
処理端末装置１０．は、入力された携帯電話会社情報、携帯電話番号、暗証番号および、カード読取手段１１．が読取ったクレジットカードの記録情報に基づき、当該登録処理に対して処理通番を付与し、さらに、処理日、処理時刻、端末番号、処理区分などを加えて登録用データを作成し、記憶手段１６．に記憶するとともにホストシステム３０．へ通信手段１２．を通じて送出する。
【００１６】
端末処理装置１０．から登録用データを受信したホストシステム３０．では、登録用データの端末番号が記憶手段３７．の端末管理ファイル３７ａ．に存在しているかどうかを確認する。
【００１７】
端末番号が確認されると、登録用データのクレジットカード番号に基づき、クレジットカード会社を判定し、カード会社ファイル３７ｂ．に当該クレジットカード会社が登録されているかどうかを確認したのち、登録データのクレジットカード番号および暗証番号をクレジットカード会社のシステム４０．に送出してクレジットカードの有効性について問い合わせる。
【００１８】
ホストシステム３０．からクレジットカードの有効性の問合せを受付けたクレジットカード会社のシステム４０．では、記憶手段４３．のクレジットカードファイル４３ａ．に該クレジットカード番号が登録されているかどうか、事故情報の記録がないか、有効期限が過ぎていないかなどを確認し、何れも問題がなければ暗証番号ファイル４３ｂ．の暗証番号記載欄３１２に記録されている暗証番号と照合し、その結果をホストシステム３０．へ返信する。
【００１９】
クレジットカード会社のシステム４０．への有効性の問合せた結果、該クレジットカードが有効であれば、前記登録用データの携帯電話会社のシステム５０．に対して携帯電話番号、クレジットカード番号を送信する。
【００２０】
ホストシステム３０．から携帯電話番号とクレジットカード番号を受信した携帯電話会社のシステム５０．では、当該携帯電話番号に基づき記憶手段５４．の加入者ファイル５４ａ．と照合による確認を行ったのち、支払管理ファイル５４ｂ．に前記クレジットカード番号を登録する。
【００２１】
携帯電話会社のシステム５０．の登録処理が完了するとホストシステム３０．に対して、登録完了通知が送信され、ホストシステム３０．は端末装置１０．に対して当該登録処理が完了したことを通知し、登録処理完了の通知を受けた端末処理装置１０．は、加入者に当該登録処理の結果を出力手段１７．より出力して処理を終了する。
【００２２】
クレジットカード会社のシステムが保有する、クレジットカードの暗証番号の一致を確認するための暗証番号ファイル４３ｂ．は、クレジットカードファイル４３ａ．とは別のファイルの場合を示したが、クレジットカードファイル４３ａ．に暗証番号を記録しておき、クレジットカードファイル４３ａ．だけで確認することもできる。
【００２３】
また、本実施例では、携帯電話会社のシステム５０．に登録する支払用のクレジットカード番号は、支払管理ファイル５４ｂ．に登録する場合の例としたが、加入者ファイル５４ａ．に支払用クレジットカード番号を登録するようにすることもできる。
【００２４】
こうして支払用クレジットカード番号が携帯電話会社に登録されることにより、該携帯電話の利用料金を加入者に請求する代わりに、前記クレジットカード会社に対してクレジットカードの利用代金として請求し、クレジットカード会社は携帯電話会社に対して加入者に代って立替払いする。
【００２５】
加入者は、通常のクレジットカードの利用と一緒に該携帯電話料金の支払をクレジットカード会社にすることができる。
【００２６】
同システムを用いれば、登録した支払用のクレジットカードを他のクレジットカードに変更することも可能となる。
【００２７】
また、登録処理はその場で完結するので、いつの料金からクレジットカードにより支払ができるかを確実に知ることが出来るので、利用者は各種の支払について計画を容易に立てることができる。
【００２８】
なお、本発明の実施形態として、事業者が携帯電話会社の場合を説明したが、本発明の事業者としては、電力会社、ガス会社、水道局、スポーツクラブ、学習塾、カルチャースクール、新聞販売店、英会話学校、などが該当し、これらの利用料金・使用料金等を利用者がクレジットカードで支払う場合のクレジットカード情報の登録処理がある。
【００２９】
また、登録処理を行う端末処理装置とホストシステムは、コンビニエンスストアなどに設置されている多機能端末装置とそのホストシステムや、金融機関のＡＴＭ装置とそのホストシステムや、クレジットカード会社のＡＴＭ装置とそのホストシステムなどが該当するが、クレジットカード会社のＡＴＭ装置とそのホストシステムの場合は、クレジットカード会社のシステムに該クレジットカードの有効性を問い合わせるプロセスは、クレジットカード会社のシステムが自ら実行すればよいので、全体の処理時間が短縮される。
もちろん、支払用のクレジットカードが他社のクレジットカードであった場合は、本実施例の場合と同一のシステム形態として実施することができる。
【００３０】
【発明の効果】
本発明により、利用者にとっては処理端末に対する簡単な手続で、クレジットカードによる支払い登録が可能となるため、毎月振込支払明細書と現金を持って銀行やコンビニへ直接出向いて支払うなどの不便がなく、或いは銀行に対して口座登録印を捺印した口座振替依頼書を送付して、登録印の照合および口座の確認等を依頼したり、クレジットカードで支払うための手続としてクレジットカード会社に対する加入契約書に支払用のクレジットカード番号を記入したり、所定の用紙にクレジットカード番号を記入して手続するなどの手続をしないで済む利便性がある。また、従来の方法におけるクレジットカード会社への問い合せ及び、業者システムへの人為的作業による入力も必要がなく、クレジットカード番号の入力ミスや、当該クレジットカードの本人確認が十分でないことによるトラブルなどが解消される。
【図面の簡単な説明】
【図１】本発明のシステムの全体図
【図２】本発明のシステムに用いる各システムのデータファイルを示す図
【図３】本システムを実行するための処理のフローチャート
【符号の説明】
１０．処理端末装置
２０．通信ネットワーク
３０．複数の処理端末装置を管理し他の事業者とのデータ通信を処理するホストシステム
４０．クレジットカード会社のシステム
５０．携帯電話会社のシステム
【図１】
2004086580.tif 000003
【図２】
2004086580.tif 000004
【図３】
2004086580.tif 000005